(57)【要約】      （修正有）【課題】デッキプレートへ取付作業を更に効率的に行うことができるデッキプレート用インサートを提供する。【解決手段】外筒部２とインサート本体３とを有し、外筒部２には、外周にデッキプレート上面に当接する鍔部２１が設けられ、鍔部２１の下方にデッキプレート下側にて外周方向に張出し可能な張出し片部２２が設けられ、インサート本体３には、下方に開口する雌螺子部３１が形成され、インサート本体３の頭部を打ち込むことで張出し片をデッキプレート下側にて張出させることで固定吊りボルトを吊下げ可能な構成において、デッキプレートと鍔部２１との間に止水性弾性材料製のワッシャー部材４を配設し、ワッシャー部材４が、張出し片部２２外周に装着され貫通孔に挿通取付される筒状体４１と、筒状体４１の外周方向に延伸する縁部４２とを有し、インサート本体３の外周面であり外筒部２中空部の内周面に接する位置に、逆ネジが形成された構成である。【選択図】図１
2014141847.tif 000002
【特許請求の範囲】
【請求項１】
デッキプレートに穿かれる貫通孔に上方から挿通取付する外筒部と、該外筒部の中空部に挿入装着されているインサート本体と、を有して成り、
前記外筒部には、その外周に前記デッキプレート挿通取付時に該デッキプレート上面に当接する鍔部が設けられ、該鍔部の下方に前記デッキプレート下側にて外周方向に張出し可能な張出し片部が設けられており、
前記インサート本体には、下方に開口する雌螺子部が形成されており、
前記デッキプレートに挿通した後に前記インサート本体の頭部を打ち込んで前記張出し片をデッキプレート下側にて外周方向に張出させて前記デッキプレートに固定し、吊りボルトを吊下げ可能な構成のデッキプレート用インサートにおいて、
前記デッキプレートと前記外筒部の鍔部との間に、止水性弾性材料で形成されたワッシャー部材を配設する構成であり、
前記ワッシャー部材が、前記鍔部の下方の張出し片部外周に装着されると共に、前記貫通孔に挿通取付される筒状体と、該筒状体の外周面の上端全周に外周方向に延伸する縁部と、を有する構成であり、
且つ前記インサート本体の外周面であって、少なくとも前記外筒部の中空部の内周面に接する位置に、逆ネジが形成された構成であること、
を特徴とするデッキプレート用インサート。
【請求項２】
前記ワッシャー部材の縁部の外径が、前記外筒部の鍔部の外径よりも大であることを特徴とする請求項１に記載のデッキプレート用インサート。
【請求項３】
前記ワッシャー部材の筒状体が、デッキプレート挿通取付時に該デッキプレート下面より突出する長さであることを特徴とする請求項１又は２に記載のデッキプレート用インサート。
【請求項４】
請求項１〜３のいずれかに記載のデッキプレート用インサートをデッキプレートに取り付ける方法であって、
デッキプレートに形成される貫通孔に、前記ワッシャー部材を該ワッシャー部材の筒状体が前記貫通孔に入り込む共に縁部が前記デッキプレート上面に当接するように取り付け、
前記貫通孔に前記ワッシャー部材が介在した状態で外筒部及びインサート本体を挿通取付けし、
インサート本体の頭部をハンマーの如き打込手段を用いて叩くことにより該インサート本体を打ち込み、
この打ち込みによってインサート本体が下方に移動して張出し片部が内側から該インサート本体により外周方向に押し出されて張出させ、
この張出し片部の張出しにより、インサートをデッキプレートにワッシャー部材を介して密に固定し、
インサートの下方から雌螺子部に吊りボルトを螺合して該吊りボルトをインサートに吊下げ固定する構成であり、
且つ前記インサート本体の外周面であって、少なくとも前記外筒部の中空部の内周面に接する位置に、逆ネジが形成され、前記インサートに対する吊りボルトの螺合の際、前記インサート本体の供回りを抑制すること、
を特徴とする電気プレート用インサートの取付方法。
【請求項５】
吊りボルトをインサートに螺合した後に、デッキプレート上にコンクリートを打設することを特徴とする請求項４に記載のデッキプレート用インサートの取付方法。
【請求項６】
吊りボルトをインサートに螺合する前に、デッキプレート上にコンクリートを打設することを特徴とする請求項４に記載のデッキプレート用インサートの取付方法。
【発明の詳細な説明】
【技術分野】
【０００１】
本発明はデッキプレート用インサート及びその取付方法に関し、詳しくはデッキプレート等の天井プレート材に吊り天井・空調機器・配管類等の吊り構造物を吊り下げるための吊りボルトを吊下げ固定するためのインサート、及び該インサートをデッキプレートに取り付ける方法に関する。
【背景技術】
【０００２】
波形プレート構造のデッキプレートへのインサートの取付けは、デッキプレートに貫通孔を穿ち、該貫通孔にインサートを打ち込み挿通することで取付固定している。
【０００３】
従来のインサートは、例えば特許文献１に記載のように、インサートの外筒部に設けられた鍔部がデッキプレート上面に当接することで該デッキプレートに穿かれた貫通孔を閉塞する構成となっている。
【０００４】
しかし特許文献１の技術では、貫通孔の直径に対してインサートの外筒部の外径が大きい場合が多いため、該インサートの雌螺子部に吊りボルトを螺合する際に該インサートが該吊りボルトの捩じ込みと供回りしてしまい螺合できない場合があり、作業性を著しく損なう場合があるという問題点を有している。
【０００５】
また、デッキプレート上へのコンクリート打設時の水分が前記貫通孔から漏出してしまう場合があるという問題点も有している。
【０００６】
更に、近年において行われ始めているコンクリート打設前に空調機等を吊下げてしまう施工方法の場合、コンクリート打設前の降雨時に雨水が前記貫通孔から漏出して空調機等を濡らしてしまうという不都合をも有している。
【０００７】
そこで本発明者らは、上記した従来技術の課題を解決するために、デッキプレートの貫通孔とインサートの外筒部との間に止水性弾性材料から形成されたワッシャー部材を介在させ、このワッシャー部材が、デッキプレートの貫通孔に挿通取付される筒状体と、筒状体の外周面の上端全周に外周方向に延伸する縁部とを有する構成とすることにより、効率的な取付作業が可能であり、しかも止水効果の高いデッキプレート用インサートを先に提案した（特許文献２参照）。
【先行技術文献】
【特許文献】
【０００８】
【特許文献１】特許４２１５１６５号
【特許文献２】登録実用新案３１６８５４８号
【発明の概要】
【発明が解決しようとする課題】
【０００９】
本発明者は、先提案技術について更に研究を続けた結果、デッキプレートへの取付作業の効率化の点で更なる改良の余地があることが判った。
【００１０】
そこで本発明の課題は、コンクリート打設前乃至は打設時の止水性に優れており、しかもデッキプレートへの取付作業を更に効率的に行うことができるデッキプレート用インサート及びその取付方法を提供することにある。
【課題を解決するための手段】
【００１１】
上記課題を解決する本発明は下記構成を有する。
【００１２】
１．デッキプレートに穿かれる貫通孔に上方から挿通取付する外筒部と、該外筒部の中空部に挿入装着されているインサート本体と、を有して成り、
前記外筒部には、その外周に前記デッキプレート挿通取付時に該デッキプレート上面に当接する鍔部が設けられ、該鍔部の下方に前記デッキプレート下側にて外周方向に張出し可能な張出し片部が設けられており、
前記インサート本体には、下方に開口する雌螺子部が形成されており、
前記デッキプレートに挿通した後に前記インサート本体の頭部を打ち込んで前記張出し片をデッキプレート下側にて外周方向に張出させて前記デッキプレートに固定し、吊りボルトを吊下げ可能な構成のデッキプレート用インサートにおいて、
前記デッキプレートと前記外筒部の鍔部との間に、止水性弾性材料で形成されたワッシャー部材を配設する構成であり、
前記ワッシャー部材が、前記鍔部の下方の張出し片部外周に装着されると共に、前記貫通孔に挿通取付される筒状体と、該筒状体の外周面の上端全周に外周方向に延伸する縁部と、を有する構成であり、
且つ前記インサート本体の外周面であって、少なくとも前記外筒部の中空部の内周面に接する位置に、逆ネジが形成された構成であること、
を特徴とするデッキプレート用インサート。
【００１３】
２．前記ワッシャー部材の縁部の外径が、前記外筒部の鍔部の外径よりも大であることを特徴とする上記１に記載のデッキプレート用インサート。
【００１４】
３．前記ワッシャー部材の筒状体が、デッキプレート挿通取付時に該デッキプレート下面より突出する長さであることを特徴とする上記１又は２に記載のデッキプレート用インサート。
【００１５】
４．上記１〜３のいずれかに記載のデッキプレート用インサートをデッキプレートに取り付ける方法であって、
デッキプレートに形成される貫通孔に、前記ワッシャー部材を該ワッシャー部材の筒状体が前記貫通孔に入り込む共に縁部が前記デッキプレート上面に当接するように取り付け、
前記貫通孔に前記ワッシャー部材が介在した状態で外筒部及びインサート本体を挿通取付けし、
インサート本体の頭部をハンマーの如き打込手段を用いて叩くことにより該インサート本体を打ち込み、
この打ち込みによってインサート本体が下方に移動して張出し片部が内側から該インサート本体により外周方向に押し出されて張出させ、
この張出し片部の張出しにより、インサートをデッキプレートにワッシャー部材を介して密に固定し、
インサートの下方から雌螺子部に吊りボルトを螺合して該吊りボルトをインサートに吊下げ固定する構成であり、
且つ前記インサート本体の外周面であって、少なくとも前記外筒部の中空部の内周面に接する位置に、逆ネジが形成され、前記インサートに対する吊りボルトの螺合の際、前記インサート本体の供回りを抑制すること、
を特徴とする電気プレート用インサートの取付方法。
【００１６】
５．吊りボルトをインサートに螺合した後に、デッキプレート上にコンクリートを打設することを特徴とする上記４に記載のデッキプレート用インサートの取付方法。
【００１７】
６．吊りボルトをインサートに螺合する前に、デッキプレート上にコンクリートを打設することを特徴とする上記４に記載のデッキプレート用インサートの取付方法。
【００１８】
尚、上記１〜３に係る本発明の参考発明として、以下の構成を挙げることができる。
前記ワッシャー部材が、水膨張性ゴムによって形成された構成であることを特徴とする上記１〜３のいずれかに記載のデッキプレート用インサート。
【発明の効果】
【００１９】
請求項１又は４に示す発明によれば、デッキプレートへの取付作業を効率的に行うことができ、しかもコンクリート打設前乃至は打設時の止水性にも優れたデッキプレート用インサートを提供することができる。
【００２０】
より具体的には、デッキプレートの貫通孔とインサートの外筒部との間に止水性弾性材料から形成されたワッシャー部材を介在させることにより、貫通孔に対するインサートの挿通取付が固定される構成により、吊りボルト螺合時の供回りを防止することができるだけでなく、このワッシャー部材が、デッキプレートの貫通孔に挿通取付される筒状体と、筒状体の外周面の上端全周に外周方向に延伸する縁部とを有する構成であるため、止水効果を発揮するので、コンクリート打設前の雨水の漏水やコンクリート打設時の打設コンクリート水分の漏水を防止することができる。
【００２１】
更に特に、インサート本体の外周面であって、少なくとも前記外筒部の中空部の内周面に接する位置に、逆ネジが形成された構成であるため、インサート本体の雌螺子部に吊りボルトを螺合した際に、該吊りボルトの螺合と共にインサート本体が供回りしてしまうことを防止することができる。従って、吊りボルト７を遅滞なく螺合することができるので確実な吊下げ固定が可能となる。
【００２２】
請求項２に示す発明によれば、インサート外筒部の鍔部とデッキプレート上面との間の止水効果をより向上させることができると共に、吊りボルト螺合時の供回り防止効果をより向上させることができる。
【００２３】
請求項３に示す発明によれば、インサート外筒部の張出し片部とデッキプレート貫通孔との間の止水効果をより向上させることができると共に、吊りボルト螺合時の供回り防止効果をより向上させることができる。
【００２４】
尚、上記参考発明によれば、コンクリート打設時に生じる水分を吸収することで、より高い止水効果を得ることができる。
【図面の簡単な説明】
【００２５】
【図１】本発明に係るデッキプレート用インサートの一実施例を示す分解説明正面図、正面図及びＡ−Ａ線断面図
【図２】図１に示すデッキプレート用インサートの取付例の一例を示す説明正面図（その１）
【図３】図１に示すデッキプレート用インサートの取付例の一例を示す説明正面図（その２）
【図４】図１に示すデッキプレート用インサートの取付例の一例を示す説明正面図（その３）
【図５】図１に示すデッキプレート用インサートの取付例の一例を示す説明正面図（その４）
【発明を実施するための形態】
【００２６】
次に、添付の図面に従って本発明を説明する。
【００２７】
本発明に係るデッキプレート用インサート（以下、単にインサート言うこともある。）１は、図１〜図５に示すように、
デッキプレート５に穿かれる貫通孔５１に上方から挿通取付する外筒部２と、該外筒部２の中空部に挿入装着されているインサート本体３と、を有して成り、
前記外筒部２には、その外周に前記デッキプレート５挿通取付時に該デッキプレート５上面に当接する鍔部２１が設けられ、該鍔部２１の下方に前記デッキプレート５下側にて外周方向に張出し可能な張出し片部２２が設けられており、
前記インサート本体３には、下方に開口する雌螺子部３１が形成されており、
前記デッキプレート５の貫通孔５１に挿通した後に前記インサート本体の頭部を打ち込んで前記張出し片をデッキプレート下側にて外周方向に張出させて前記デッキプレート５に固定し、吊りボルト７を吊下げ可能な構成において、
前記鍔部２１の下方の外筒部２外周に装着されると共に前記貫通孔５１に挿通取付される筒状体４１と、該筒状体４１の外周面の上端全周に外周方向に延伸する縁部４２と、を有する止水性弾性材料で形成されたワッシャー部材４を、前記デッキプレート５と前記外筒体２との間に配設する構成である。
【００２８】
以下、本発明のインサート１について更に詳説する。
【００２９】
インサート１の一構成部材である外筒部２としては、この種のデッキプレート用インサートの外筒部として公知公用の構成及び素材のものを特別の制限なく用いることができる。即ち、合成樹脂製であり、デッキプレート５の貫通孔５１に上方から挿通取付され、該デッキプレート５の上面に対しては鍔部２１により下方への脱落を防止し、インサート本体３の打ち込みによる張出し片部２２の外周方向への張出しによりデッキプレート５の上方への抜けを防止することでインサート１をデッキプレート５に固定するものである。尚、符号２３は、外筒部２と鍔部２１の強度を補強する補強リブである。
【００３０】
同じくインサート１の一構成部材であるインサート本体３としては、この種のデッキプレート用インサートのインサート本体として公知公用の構成及び素材のものを特別の制限なく用いることができる。即ち、金属製又は硬質プラスチック製であり、外筒部２に挿入固定された状態でデッキプレート５の貫通孔５１に挿通後、ハンマー６（図５（Ａ）参照）による打ち込みにより該デッキプレート５に固定されるものである。デッキプレート５への固定後、打設コンクリート８の打設前或いは打設後に下方に開口する雌螺子部３１に吊りボルト７を螺合し、螺合した吊りボルト７に吊り天井・空調機器・配管類等の吊り構造物を固定することでこれらの吊り構造物をデッキプレート５から安定した状態で吊下げることが可能となるものである。
【００３１】
また、インサート本体３は、その外周面であって、少なくとも前記外筒部２の中空部の内周面に接する位置に、逆ネジが形成された逆ネジ部３２を有する構成となっている。該インサート本体３を外筒部２の中空部に挿入装着するには、該インサート本体３を外筒部２に圧入するか、及び／又は左回転の捩じ込みによって装着することができる。
【００３２】
本発明では、前述したように、インサート１の構成部材として外筒部２及びインサート本体３に加えてワッシャー部材４を付加した構成となっている。
【００３３】
ワッシャー部材４は、デッキプレート５の貫通孔５１とインサート１の外筒部２との間に介在することで、該貫通孔５１に対するインサート１の挿通取付を固定し、吊りボルト７螺合時の供回りを防止することができる。
【００３４】
更に、該ワッシャー部材４は、止水性弾性材料により形成され、筒状体４１と縁部４２とを有する構成であるので、貫通孔５１における止水効果を発揮してコンクリート打設時のコンクリート水分の漏水を防止することができる。
【００３５】
ワッシャー部材４の材質としては、合成ゴム、天然ゴム、軟質合成樹脂、これらの混合物等、止水性を有する弾性材料を特別の制限なく用いることができる。また、止水性弾性材料として、水分を吸収することで膨張して止水効果を発揮する水膨張性ゴムを用いることも好ましい。
【００３６】
水膨張性ゴムとしては、例えば、ゴム物質と水膨張性樹脂、充填剤、加硫剤、加硫促進剤、可塑剤、着色剤、老化防止剤、加工助剤などを加えた組成物をローラーミキサー、バンバリーミキサー、ニーダーなどの機械で混錬し、押出成形により所望の形状に押出し、常法により加硫したものを挙げることができる。
【００３７】
前記ゴム物質としては、クロロプレンゴム、スチレン−ブタジエンゴム、イソプレンゴム、ブチルゴム、天然ゴム等を挙げることができ、これらを複合ブレンドとして使用することも可能である。
【００３８】
水膨張性ゴムに使用される水膨張性樹脂としては、アクリル酸系、アクリレート系、無水マレイン酸系、ウレタン系、ポリビニルアルコール系等の架橋された各種の水膨張性樹脂を挙げることができる。これらの水膨張性樹脂を配合し、２〜１５倍、好ましくは３〜１０倍の体積膨張を有するものとなる。
【００３９】
ワッシャー部材４による供回り防止効果及び止水効果を向上させるために、本実施例に示すように、縁部４２の外径を外筒部２の鍔部２１の外径よりも大とすることが好ましい。かかる構成によれば、縁部２１とデッキプレート５上面との接触面積、縁部２１と鍔部２１との接触面積を共に大きくすることができるため、前記した供回り防止効果及び止水効果をより向上させることができる。
【００４０】
また、上記した供回り防止効果及び止水効果を向上させるために、本実施例に示すようにワッシャー部材４の筒状体４１をデッキプレート５挿通取付時に該デッキプレート５下面より突出する長さ、即ち、筒状体４１の長さをデッキプレート５の厚みより大とすることも好ましい。かかる構成によれば、筒状体４１と貫通孔５１との接触面積、筒状体４１とインサート本体３との接触面積を共に大きくすることができるため、前記した供回り防止効果及び止水効果をより向上させることができる。
【００４１】
以上、本発明に係るデッキプレート用インサートについて実施例に基づき説明したが、次に、以上の構成を有するインサート１の取付例の一例について図２〜図５に基づき説明する。
【００４２】
先ず、図２（Ａ）に示すようにデッキプレート５に貫通孔５１を形成し、該貫通孔５１に図２（Ｂ）に示すようにワッシャー部材４を取り付ける。この際、ワッシャー部材４の筒状体４１部分が貫通孔５１内に確実に入り込み、縁部４２がデッキプレート５上面に当接するように取り付ける。
【００４３】
次に、図３（Ａ）・（Ｂ）に示すように、貫通孔５１にワッシャー部材４を介在させた状態で外筒部２及びインサート本体３を挿通取付する。
【００４４】
次に、図４（Ａ）に示すようにインサート本体３の頭部をハンマー６に叩くことで、図４（Ｂ）に示すようにインサート本体３を打ち込む。この打ち込みによりインサート本体３が下方に移動し、この移動により張出し片部２２が内側からインサート本体３により外周方向に押し出されて張出すことになる。この張出し片部２２の張出しにより、インサート１はデッキプレート５にワッシャー部材４を介して密に固定されることになる。
【００４５】
次に、図５（Ａ）に示すように、インサート１の下方から雌螺子部３１に吊りボルト７を螺合することで、図５（Ｂ）に示すように該吊りボルト７をインサート１に吊下げ固定することができる。尚、図５（Ｂ）において、符号８は打設コンクリートを示す。  
【００４６】
この吊りボルト７の吊下げ固定の際の雌螺子部３１への螺合の際に、デッキプレート５上のコンクリートが打設前の場合であっても、吊りボルト７の螺合に伴ってインサート本体３が供回りしてしまうことがなく、吊りボルト７を遅滞なく螺合することができるので確実な吊下げ固定が可能となる。
【００４７】
即ち、インサート本体３の外周面に逆ネジ部３２が形成されているため、吊りボルト７の螺合回転方向（上方から見て左回転方向、即ち、下方から見て右回転方向）とインサート本体３の外筒部２に対する緊締螺合方向（下方から見て右回転方向）とが同じ回転方向となるので、インサート本体３の供回りを防ぐことができる。
【００４８】
尚、インサート本体３の外筒部２に対するハンマー打ち込みが弱く規定位置までの下方移動が不充分となってしまった場合であっても、吊りボルト７の螺合に伴ってインサート本体３が供回りして外筒部２に対して緊締螺合されることによって規定位置までインサート本体２を下方移動させることができ、規定位置まで下方移動した時点で該インサート本体３の供回りは止まり、吊りボルト７を雌螺子部３１に螺合して吊下げ固定することができる。
【００４９】
図５（Ａ）・（Ｂ）に示す本実施例では、吊りボルト７の螺合後にデッキプレート５上にコンクリートを打設しているが、本発明はこれに限定されず、コンクリート打設後に吊りボルト７の螺合を行ってもよい。
【符号の説明】
【００５０】
１  インサート
２  外筒部
２１  鍔部
２２  張出し片部
２３  補強リブ
３  インサート本体
３１  雌螺子部
３２  逆ネジ部
４  ワッシャー部材
４１  筒状体
４２  縁部
５  デッキプレート
５１  貫通孔
６  ハンマー
７  吊りボルト
８  打設コンクリート
【図１】
2014141847.tif 000003
【図２】
2014141847.tif 000004
【図３】
2014141847.tif 000005
【図４】
2014141847.tif 000006
【図５】
2014141847.tif 000007
【手続補正書】
【提出日】平成25年1月28日(2013.1.28)
【手続補正１】
【補正対象書類名】特許請求の範囲
【補正対象項目名】請求項４
【補正方法】変更
【補正の内容】
【請求項４】
請求項１〜３のいずれかに記載のデッキプレート用インサートをデッキプレートに取り付ける方法であって、
デッキプレートに形成される貫通孔に、前記ワッシャー部材を該ワッシャー部材の筒状体が前記貫通孔に入り込む共に縁部が前記デッキプレート上面に当接するように取り付け、
前記貫通孔に前記ワッシャー部材が介在した状態で外筒部及びインサート本体を挿通取付けし、
インサート本体の頭部をハンマーの如き打込手段を用いて叩くことにより該インサート本体を打ち込み、
この打ち込みによってインサート本体が下方に移動して張出し片部が内側から該インサート本体により外周方向に押し出されて張出させ、
この張出し片部の張出しにより、インサートをデッキプレートにワッシャー部材を介して密に固定し、
インサートの下方から雌螺子部に吊りボルトを螺合して該吊りボルトをインサートに吊下げ固定する構成であり、
且つ前記インサート本体の外周面であって、少なくとも前記外筒部の中空部の内周面に接する位置に、逆ネジが形成され、前記インサートに対する吊りボルトの螺合の際、前記インサート本体の供回りを抑制すること、
を特徴とするデッキプレート用インサートの取付方法。
【手続補正２】
【補正対象書類名】明細書
【補正対象項目名】００１５
【補正方法】変更
【補正の内容】
【００１５】
４．上記１〜３のいずれかに記載のデッキプレート用インサートをデッキプレートに取り付ける方法であって、
デッキプレートに形成される貫通孔に、前記ワッシャー部材を該ワッシャー部材の筒状体が前記貫通孔に入り込む共に縁部が前記デッキプレート上面に当接するように取り付け、
前記貫通孔に前記ワッシャー部材が介在した状態で外筒部及びインサート本体を挿通取付けし、
インサート本体の頭部をハンマーの如き打込手段を用いて叩くことにより該インサート本体を打ち込み、
この打ち込みによってインサート本体が下方に移動して張出し片部が内側から該インサート本体により外周方向に押し出されて張出させ、
この張出し片部の張出しにより、インサートをデッキプレートにワッシャー部材を介して密に固定し、
インサートの下方から雌螺子部に吊りボルトを螺合して該吊りボルトをインサートに吊下げ固定する構成であり、
且つ前記インサート本体の外周面であって、少なくとも前記外筒部の中空部の内周面に接する位置に、逆ネジが形成され、前記インサートに対する吊りボルトの螺合の際、前記インサート本体の供回りを抑制すること、
を特徴とするデッキプレート用インサートの取付方法。